(57)【要約】  本入退室管理システムは、受信装置、錠制御手段、報知装置、速度計測手段、報知制御手段を備える。受信装置は、通行を規制する扉の近傍に設けられ、所定の検出範囲に存在するＩＣタグからＩＤ情報を受信する。錠制御手段は、受信装置が受信したＩＤ情報が、既登録のＩＤ情報と一致する場合に、扉の錠装置を解錠する。報知装置は、扉の近傍に設けられる。速度計測手段は、受信装置が受信したＩＤ情報に基づいて、そのＩＤ情報を有するＩＣタグの通行速度を計測する。報知制御手段は、速度計測手段によって計測された通行速度が所定の基準値を超える場合に、報知装置から、通行速度に関する所定の内容を報知させる。
2013094023.tif 000002
【特許請求の範囲】
【請求項１】
通行を規制する扉の近傍に設けられ、所定の検出範囲に存在するＩＣタグからＩＤ情報を受信する受信装置と、
前記受信装置が受信したＩＤ情報が、既登録のＩＤ情報と一致する場合に、前記扉の錠装置を解錠する錠制御手段と、
前記扉の近傍に設けられた報知装置と、
前記受信装置が受信したＩＤ情報に基づいて、そのＩＤ情報を有するＩＣタグの通行速度を計測する速度計測手段と、
前記速度計測手段によって計測された通行速度が所定の基準値を超える場合に、前記報知装置から、通行速度に関する所定の内容を報知させる報知制御手段と、
を備えた入退室管理システム。
【請求項２】
所定の災害の発生を検出する災害検出装置と、
前記災害検出装置によって災害の発生が検出されると、前記受信装置が受信したＩＤ情報に基づいて、そのＩＤ情報を有するＩＣタグの通行方向を判定する通行方向判定手段と、
を備え、
前記報知制御手段は、前記通行方向判定手段によって判定された通行方向が、所定の避難方向に一致しない場合に、前記報知装置から、通行方向に関する所定の内容を報知させる請求項１に記載の入退室管理システム。
【請求項３】
所定の災害の発生を検出する災害検出装置と、
通行を規制する扉の近傍に設けられ、所定の検出範囲に存在するＩＣタグからＩＤ情報を受信する受信装置と、
通常時は、前記受信装置が受信したＩＤ情報が既登録のＩＤ情報と一致する場合に、前記扉の錠装置を解錠する通常制御を行い、前記災害検出装置によって災害の発生が検出されると、前記扉の錠装置に対して所定の避難制御を行う錠制御手段と、
前記扉の近傍に設けられた報知装置と、
前記災害検出装置によって災害の発生が検出されると、前記受信装置が受信したＩＤ情報に基づいて、そのＩＤ情報を有するＩＣタグの通行速度を計測する速度計測手段と、
前記速度計測手段によって計測された通行速度が所定の基準値を超える場合に、前記報知装置から、通行速度に関する所定の内容を報知させる報知制御手段と、
を備えた入退室管理システム。
【請求項４】
前記災害検出装置によって災害の発生が検出されると、前記受信装置が受信したＩＤ情報に基づいて、そのＩＤ情報を有するＩＣタグの通行方向を判定する通行方向判定手段と、
を備え、
前記報知制御手段は、前記通行方向判定手段によって判定された通行方向が、所定の避難方向に一致しない場合に、前記報知装置から、通行方向に関する所定の内容を報知させる請求項３に記載の入退室管理システム。
【請求項５】
通行を規制する第１扉の近傍に設けられ、所定の検出範囲に存在するＩＣタグからＩＤ情報を受信する第１受信装置と、
前記第１受信装置が受信したＩＤ情報が、既登録のＩＤ情報と一致する場合に、前記第１扉の錠装置を解錠する第１錠制御手段と、
前記第１扉の近傍に設けられた第１報知装置と、
通行を規制する第２扉の近傍に設けられ、所定の検出範囲に存在するＩＣタグからＩＤ情報を受信する第２受信装置と、
前記第２受信装置が受信したＩＤ情報が、既登録のＩＤ情報と一致する場合に、前記第２扉の錠装置を解錠する第２錠制御手段と、
前記第２扉の近傍に設けられた第２報知装置と、
前記第１受信装置及び前記第２受信装置が同じＩＤ情報を受信した場合に、前記第１受信装置及び前記第２受信装置の各受信結果に基づいて、そのＩＤ情報を有するＩＣタグの通行速度を計測する速度計測手段と、
前記速度計測手段によって計測された通行速度が所定の基準値を超える場合に、前記第１報知装置及び前記第２報知装置のうち、そのＩＤ情報を後に受信した受信装置に近い報知装置から、通行速度に関する所定の内容を報知させる報知制御手段と、
を備えた入退室管理システム。
【請求項６】
所定の災害の発生を検出する災害検出装置と、
前記災害検出装置によって災害の発生が検出された場合に、前記第１受信装置及び前記第２受信装置が同じＩＤ情報を受信すると、前記第１受信装置及び前記第２受信装置の各受信結果に基づいて、そのＩＤ情報を有するＩＣタグの通行方向を判定する通行方向判定手段と、
を備え、
前記報知制御手段は、前記通行方向判定手段によって判定された通行方向が、所定の避難方向に一致しない場合に、前記第１報知装置及び前記第２報知装置のうち、そのＩＤ情報を後に受信した受信装置に近い報知装置から、通行方向に関する所定の内容を報知させる請求項５に記載の入退室管理システム。
【請求項７】
所定の災害の発生を検出する災害検出装置と、
通行を規制する第１扉の近傍に設けられ、所定の検出範囲に存在するＩＣタグからＩＤ情報を受信する第１受信装置と、
通常時は、前記第１受信装置が受信したＩＤ情報が既登録のＩＤ情報と一致する場合に、前記第１扉の錠装置を解錠する通常制御を行い、前記災害検出装置によって災害の発生が検出されると、前記第１扉の錠装置に対して所定の避難制御を行う第１錠制御手段と、
前記第１扉の近傍に設けられた第１報知装置と、
通行を規制する第２扉の近傍に設けられ、所定の検出範囲に存在するＩＣタグからＩＤ情報を受信する第２受信装置と、
通常時は、前記第２受信装置が受信したＩＤ情報が既登録のＩＤ情報と一致する場合に、前記第２扉の錠装置を解錠する通常制御を行い、前記災害検出装置によって災害の発生が検出されると、前記第２扉の錠装置に対して所定の避難制御を行う第２錠制御手段と、
前記第２扉の近傍に設けられた第２報知装置と、
前記災害検出装置によって災害の発生が検出された場合に、前記第１受信装置及び前記第２受信装置が同じＩＤ情報を受信すると、前記第１受信装置及び前記第２受信装置の各受信結果に基づいて、そのＩＤ情報を有するＩＣタグの通行速度を計測する速度計測手段と、
前記速度計測手段によって計測された通行速度が所定の基準値を超える場合に、前記第１報知装置及び前記第２報知装置のうち、そのＩＤ情報を後に受信した受信装置に近い報知装置から、通行速度に関する所定の内容を報知させる報知制御手段と、
を備えた入退室管理システム。
【請求項８】
前記災害検出装置によって災害の発生が検出された場合に、前記第１受信装置及び前記第２受信装置が同じＩＤ情報を受信すると、前記第１受信装置及び前記第２受信装置の各受信結果に基づいて、そのＩＤ情報を有するＩＣタグの通行方向を判定する通行方向判定手段と、
を備え、
前記報知制御手段は、前記通行方向判定手段によって判定された通行方向が、所定の避難方向に一致しない場合に、前記第１報知装置及び前記第２報知装置のうち、そのＩＤ情報を後に受信した受信装置に近い報知装置から、通行方向に関する所定の内容を報知させる請求項７に記載の入退室管理システム。
【発明の詳細な説明】
【技術分野】
【０００１】
この発明は、ＩＣタグを用いた入退室管理システムに関するものである。
【背景技術】
【０００２】
ＩＣタグを用いた入退室管理システムでは、入退室を所定の人に制限したい部屋の出入口や、通行を所定の人に制限したい場所に、ＩＣタグリーダーを設置している。ＩＣタグリーダーは、所定の検出範囲に存在するＩＣタグから、ＩＤ情報を受信する。ＩＣタグリーダーがＩＣタグのＩＤ情報を受信すると、受信されたＩＤ情報が既登録のＩＤ情報に一致するか否かが判定される。上記判定において、読み取られたＩＤ情報が既登録のＩＤ情報の何れかと一致すれば、扉の錠装置が解錠され、通行が許可される。【０００３】
このような機能を有する入退室管理システムでは、例えば、建物内で火災が発生すると、建物の内部にいる人を外に避難させるための制御が行われる。例えば、下記特許文献１には、建物内で火災が発生すると、扉の錠装置を強制的に解錠する入退室管理システムが提案されている。特許文献１に記載された入退室管理システムでは、火災が発生すると避難経路を特定し、特定した避難経路に応じて、解錠する錠装置を決定している。
【先行技術文献】
【特許文献】
【０００４】
【特許文献１】日本特開２０１０−４４６８５号公報
【発明の概要】
【発明が解決しようとする課題】
【０００５】
従来では、火災等の災害が発生した際に、避難している人への案内（例えば、警告や誘導）を、入退室管理システムを用いて行うことができなかった。【０００６】
この発明は、上述のような課題を解決するためになされたもので、その目的は、火災等の災害が発生した場合に、避難している人への案内を適切に行うことができる入退室管理システムを提供することである。
【課題を解決するための手段】
【０００７】
この発明に係る入退室管理システムは、通行を規制する扉の近傍に設けられ、所定の検出範囲に存在するＩＣタグからＩＤ情報を受信する受信装置と、受信装置が受信したＩＤ情報が、既登録のＩＤ情報と一致する場合に、扉の錠装置を解錠する錠制御手段と、扉の近傍に設けられた報知装置と、受信装置が受信したＩＤ情報に基づいて、そのＩＤ情報を有するＩＣタグの通行速度を計測する速度計測手段と、速度計測手段によって計測された通行速度が所定の基準値を超える場合に、報知装置から、通行速度に関する所定の内容を報知させる報知制御手段と、を備えたものである。【０００８】
また、この発明に係る入退室管理システムは、所定の災害の発生を検出する災害検出装置と、通行を規制する扉の近傍に設けられ、所定の検出範囲に存在するＩＣタグからＩＤ情報を受信する受信装置と、通常時は、受信装置が受信したＩＤ情報が既登録のＩＤ情報と一致する場合に、扉の錠装置を解錠する通常制御を行い、災害検出装置によって災害の発生が検出されると、扉の錠装置に対して所定の避難制御を行う錠制御手段と、扉の近傍に設けられた報知装置と、災害検出装置によって災害の発生が検出されると、受信装置が受信したＩＤ情報に基づいて、そのＩＤ情報を有するＩＣタグの通行速度を計測する速度計測手段と、速度計測手段によって計測された通行速度が所定の基準値を超える場合に、報知装置から、通行速度に関する所定の内容を報知させる報知制御手段と、を備えたものである。【０００９】
また、この発明に係る入退室管理システムは、通行を規制する第１扉の近傍に設けられ、所定の検出範囲に存在するＩＣタグからＩＤ情報を受信する第１受信装置と、第１受信装置が受信したＩＤ情報が、既登録のＩＤ情報と一致する場合に、第１扉の錠装置を解錠する第１錠制御手段と、第１扉の近傍に設けられた第１報知装置と、通行を規制する第２扉の近傍に設けられ、所定の検出範囲に存在するＩＣタグからＩＤ情報を受信する第２受信装置と、第２受信装置が受信したＩＤ情報が、既登録のＩＤ情報と一致する場合に、第２扉の錠装置を解錠する第２錠制御手段と、第２扉の近傍に設けられた第２報知装置と、第１受信装置及び第２受信装置が同じＩＤ情報を受信した場合に、第１受信装置及び第２受信装置の各受信結果に基づいて、そのＩＤ情報を有するＩＣタグの通行速度を計測する速度計測手段と、速度計測手段によって計測された通行速度が所定の基準値を超える場合に、第１報知装置及び第２報知装置のうち、そのＩＤ情報を後に受信した受信装置に近い報知装置から、通行速度に関する所定の内容を報知させる報知制御手段と、を備えたものである。【００１０】
また、この発明に係る入退室管理システムは、所定の災害の発生を検出する災害検出装置と、通行を規制する第１扉の近傍に設けられ、所定の検出範囲に存在するＩＣタグからＩＤ情報を受信する第１受信装置と、通常時は、第１受信装置が受信したＩＤ情報が既登録のＩＤ情報と一致する場合に、第１扉の錠装置を解錠する通常制御を行い、災害検出装置によって災害の発生が検出されると、第１扉の錠装置に対して所定の避難制御を行う第１錠制御手段と、第１扉の近傍に設けられた第１報知装置と、通行を規制する第２扉の近傍に設けられ、所定の検出範囲に存在するＩＣタグからＩＤ情報を受信する第２受信装置と、通常時は、第２受信装置が受信したＩＤ情報が既登録のＩＤ情報と一致する場合に、第２扉の錠装置を解錠する通常制御を行い、災害検出装置によって災害の発生が検出されると、第２扉の錠装置に対して所定の避難制御を行う第２錠制御手段と、第２扉の近傍に設けられた第２報知装置と、災害検出装置によって災害の発生が検出された場合に、第１受信装置及び第２受信装置が同じＩＤ情報を受信すると、第１受信装置及び第２受信装置の各受信結果に基づいて、そのＩＤ情報を有するＩＣタグの通行速度を計測する速度計測手段と、速度計測手段によって計測された通行速度が所定の基準値を超える場合に、第１報知装置及び第２報知装置のうち、そのＩＤ情報を後に受信した受信装置に近い報知装置から、通行速度に関する所定の内容を報知させる報知制御手段と、を備えたものである。
【発明の効果】
【００１１】
この発明に係る入退室管理システムであれば、火災等の災害が発生した場合に、避難している人への案内を適切に行うことができるようになる。
【図面の簡単な説明】
【００１２】
【図１】この発明の実施の形態１における入退室管理システムの構成を示す図である。
【図２】この発明の実施の形態１における入退室管理システムの動作を示すフローチャートである。
【図３】この発明の実施の形態１における入退室管理システムの機能を説明するための平面図である。
【発明を実施するための形態】
【００１３】
添付の図面を参照して、本発明を詳細に説明する。各図において、同一又は相当する部分には、同一の符号を付している。重複する説明については、適宜簡略化或いは省略する。
【００１４】
実施の形態１．
図１はこの発明の実施の形態１における入退室管理システムの構成を示す図である。
入退室管理システムは、センター装置１と複数のローカルコントローラ２とにより、要部が構成される。ローカルコントローラ２は、所定の通信線３を介して、センター装置１に接続されている。また、ローカルコントローラ２は、信号線３を介して、相互に（他のローカルコントローラ２に）接続されている。
【００１５】
本入退室管理システムが備えられた建物（建物の全体又は一部、建物群）では、入退室を所定の人に制限したい部屋の出入口や、通行を所定の人に制限したい通路等に、錠装置４付きの扉５が設置されている。扉５は、通行を規制するために備えられた扉である。錠装置４は、例えば、電気錠や電子錠からなる。
【００１６】
システム内のローカルコントローラ２は、扉５毎に備えられていても良いし、複数の扉５に対応して備えられていても良い。また、システム内の一部のローカルコントローラ２のみ、１つの扉５に対応して備えられ、他のローカルコントローラ２は、複数の扉５に対応して備えられていても良い。
【００１７】
ローカルコントローラ２には、上記錠装置４の他に、ＩＣタグリーダー６、報知装置７が接続されている。
ＩＣタグリーダー６及び報知装置７は、扉５毎に設けられている。ＩＣタグリーダー６及び報知装置７は、例えば、対応の扉５の近傍（例えば、扉５に隣接する壁面等）に設置される。ＩＣタグリーダー６と報知装置７とは、一つの装置として構成されていても構わない。例えば、報知装置７は、ＩＣタグリーダー６に内蔵されていても良い。
【００１８】
ＩＣタグリーダー６は、ＩＣタグ８（図１では図示せず）からＩＤ情報を受信する装置を構成する。ＩＤ情報は、ＩＣタグ８（或いは、ＩＣタグ８の所有者）を特定するための情報である。ＩＣタグリーダー６は、所定の検出範囲６Ａ（図１では図示せず）に存在するＩＣタグ８から、ＩＤ情報を受信する。ＩＣタグリーダー６は、ＩＣタグ８からＩＤ情報を受信すると、その受信したＩＤ情報を、自機を特定するためのリーダー情報とともに、ローカルコントローラ２に出力する。
【００１９】
報知装置７は、扉５の周辺にいる人に、所定の情報を報知するためのものである。報知装置７は、例えば、スピーカ等から構成される。
【００２０】
ローカルコントローラ２は、情報制御手段９、記憶手段１０、認証手段１１、錠制御手段１２、報知制御手段１３を備えている。
情報制御手段９は、ローカルコントローラ２において、情報の送受信を制御する。
【００２１】
記憶手段１０には、そのローカルコントローラ２に割り当てられている扉５の通行を許可された人（通行許可者）の情報が、扉５毎に記憶されている。具体的に、記憶手段１０には、通行許可者に割り当てられたＩＣタグ８のＩＤ情報（以下、単に「通行許可者のＩＤ情報」ともいう）が、扉５（ＩＣタグリーダー６）毎に予め登録されている。
【００２２】
認証手段１１は、扉５を通行しようとしている人（通行者）が、通行許可者であるか否かを判定する。具体的に、認証手段１１は、情報制御手段９がＩＣタグリーダー６からＩＤ情報とリーダー情報とを受信すると、ＩＣタグリーダー６が受信したＩＤ情報が、当該扉５の通行許可者のＩＤ情報として、記憶手段１０に登録されているか否かを判定する。認証手段１１は、ＩＣタグリーダー６が受信したＩＤ情報が、既登録のＩＤ情報に一致する場合に、そのＩＣタグ８を携帯する通行者が、当該扉５の通行許可者であることを判定する。
【００２３】
錠制御手段１２は、錠装置４を制御する。通常時、錠制御手段１２は、通常制御を行う。通常制御では、錠制御手段１２は、基本的に錠装置４を施錠し、扉５が開放されることを阻止する。また、錠制御手段１２は、通行者が通行許可者であることが認証手段１１によって判定されると、そのＩＣタグ８を携帯する通行者の通行を許可し、対応の扉５の錠装置４を解錠する。通常制御が実施されている場合、社員等、予め通行が許可されている人は、自分のＩＣタグ８を携帯してＩＣタグリーダー６に接近すれば、自動的に通行許可者と判定され、対応の扉５が開放される（或いは、開放可能な状態になる）。
【００２４】
報知制御手段１３は、報知装置７を制御する。
【００２５】
一部のローカルコントローラ２には、錠装置４、ＩＣタグリーダー６、報知装置７の他に、火災感知装置１４が接続されている。
火災感知装置１４は、例えば、熱や煙を感知して、火災の発生を検出する。火災感知装置１４は、火災の発生を検出すると、火災発生情報を、接続されているローカルコントローラ２に出力する。火災感知装置１４から火災発生情報を直接受信したローカルコントローラ２では、情報制御手段９が、センター装置１や他のローカルコントローラ２に、火災発生情報を配信する。
【００２６】
火災感知装置１４は、災害の発生を検出する装置（災害検出装置）の一例として示している。本システムに他の種類の災害検出装置が備えられている場合は、その災害検出装置から出力される災害発生情報に基づいて、本実施の形態における制御と同様の制御を実施すれば良い。
【００２７】
また、ローカルコントローラ２では、火災感知装置１４から火災発生情報を受信すると、通行を所定の人に制限する上記通常動作を終了し、建物内の人を建物の外に避難させるための避難制御を開始する。
【００２８】
避難制御では、錠制御手段１２は、例えば、錠装置４を常に解錠した状態に保持する。これにより、建物内の人は、扉５によって通行を制限されることなく、建物内を自由に通行することができるようになる。なお、避難制御が開始された後でも、一部の錠装置４については、上記通常制御の時と同様に、解錠のために認証手段１１による認証を要求しても良い。また、一部の錠装置４については、通行方向や経過時間等に応じて、錠装置４の解錠や施錠を制御しても良い。
避難制御の具体的な内容については、後述する。
【００２９】
センター装置１は、各ローカルコントローラ２を管理する。
センター装置１には、ＩＤ情報を新規に登録する機能が備えられている。例えば、所定の入力装置（図示せず）からセンター装置１に、新規登録情報が入力される、即ち、新規ＩＤ情報と通行を許可する扉５の情報とが入力されると、センター装置１は、対応のローカルコントローラ２に対して、上記新規登録情報を配信する。センター装置１から新規登録情報を受信したローカルコントローラ２では、受信した新規登録情報に基づいて記憶手段１０の記憶内容を書き換え、通行許可者の情報を更新する。
【００３０】
また、センター装置１は、上記登録機能の他に、避難経路判定手段１５、速度計測手段１６、速度判定手段１７、避難方向判定手段１８を備えている。
以下に、図２及び図３も参照し、本入退室管理システムの動作（特に、火災の発生が検出された後の動作）について、具体的に説明する。図２はこの発明の実施の形態１における入退室管理システムの動作を示すフローチャートである。図３はこの発明の実施の形態１における入退室管理システムの機能を説明するための平面図である。図３は、本入退室管理システムが備えられた建物内部の一例を示している。
【００３１】
図３において、１９は入退室が所定の人（例えば、一部の社員）に制限されている部屋である。図３に示す例では、通路２０に沿って、３つの部屋１９が並んで配置されている。以下において部屋１９を個別に特定する必要がある場合、符号の後にａ乃至ｃを付して表記する。図３に示す例では、通路２０に沿って、部屋１９ａ乃至１９ｃが並んで配置されている。
【００３２】
部屋１９の出入口には、扉５が設けられている。扉５は、錠装置４によって解錠及び施錠される。また、扉５の近傍には、ＩＣタグリーダー６及び報知装置７（或いは、報知装置７の機能を備えたＩＣタグリーダー６）が設置されている。以下においては、上記各機器について個別に特定する必要がある場合、符号の後に、対応する部屋に応じてａ乃至ｃを付して表記する。例えば、部屋１９ａの出入口を開閉する扉は５ａ、扉５ａを施錠・解錠する錠装置は４ａと表記する。また、扉５ａの近傍に設置されたＩＣタグリーダーは６ａ、その検出範囲は６Ａａと表記する。扉５ａの近傍に設置された報知装置は７ａと表記する。
【００３３】
ローカルコントローラ２では、情報制御手段９が、火災感知装置１４から火災発生情報を受信したか否かを判定する（Ｓ１０１）。火災感知装置１４が火災の発生を検出していなければ（Ｓ１０１のＮｏ）、情報制御手段９は、火災発生情報を受信しない。かかる場合、ローカルコントローラ２では、通常制御を行う（Ｓ１０２）。通常制御では、上述した通り、錠制御手段１２は、認証手段１１の認証結果に基づいて錠装置４を制御する。
【００３４】
火災感知装置１４は、火災の発生を検出すると、特定のローカルコントローラ２に火災発生情報を送信する（Ｓ１０１のＹｅｓ）。火災発生情報を火災感知装置１４から直接受信したローカルコントローラ２では、情報制御手段９が、センター装置１と他のローカルコントローラ２とに対し、火災発生情報（或いは、火災発生情報を受信した旨の情報）を配信する。
【００３５】
ローカルコントローラ２では、火災発生情報（或いは、その旨の情報）を受信すると、通常制御を終了し、所定の避難制御を開始する（Ｓ１０３）。避難制御に移行すると、錠制御手段１２は、例えば、錠装置４を常に解錠した状態に保持する。
【００３６】
避難制御が開始された後も、ＩＣタグリーダー６は、検出範囲６Ａ内に存在するＩＣタグ８から、ＩＤ情報を受信する。ＩＣタグリーダー６は、ＩＣタグ８からＩＤ情報を受信すると、その受信したＩＤ情報と自機のリーダー情報とを、ローカルコントローラ２に出力する。
【００３７】
ローカルコントローラ２では、避難制御を開始した後も、情報制御手段９が、ＩＣタグリーダー６からＩＤ情報（及び、対になっているリーダー情報）を受信したか否かを判定する（Ｓ１０４）。情報制御手段９は、ＩＣタグリーダー６からＩＤ情報を受信すると（Ｓ１０４のＹｅｓ）、受信したＩＤ情報と、そのＩＤ情報を受信したＩＣタグリーダー６の情報（リーダー情報）とを、センター装置１に送信する。
【００３８】
センター装置１では、ローカルコントローラ２から火災発生情報を受信すると、避難経路判定手段１５が、建物の内部にいる人を建物の外に避難させるための最適な避難経路を判定する。例えば、センター装置１には、複数の避難経路が予め登録されている。避難経路判定手段１５は、ローカルコントローラ２から火災発生情報を受信すると、火災の発生場所を特定し、火災の発生場所や非常出口の位置等に基づいて、既登録の避難経路の中から最適なものを選択する。
【００３９】
なお、避難経路が一つしか存在しない場合は、その避難経路をセンター装置１に予め登録しておけば良い。かかる場合、センター装置１は、避難経路判定手段１５の上記選択機能を備えていなくても良い。
【００４０】
また、センター装置１では、ローカルコントローラ２から火災発生情報を受信した後（即ち、避難制御が行われている時に）、速度計測手段１６が、ＩＣタグリーダー６が受信したＩＤ情報に基づいて、そのＩＤ情報を有するＩＣタグ８を携帯している人の通行速度（以下、単に「ＩＣタグ８の通行速度」ともいう）を計測する（Ｓ１０５）。
以下に、速度計測手段１６の機能について具体的に説明する。
【００４１】
一例として、建物内で火災が発生し、図３に示すように、自分のＩＣタグ８を携帯して避難する人（避難者）Ｂが、通路２０を避難経路に沿って移動している場合を考える。図３に示す避難経路は、避難経路判定手段１５が設定した避難経路である。
【００４２】
ＩＣタグ８として、例えば、ＲＦＩＤタグが採用されている場合、ＩＣタグリーダー６の検出範囲６Ａは半径数ｍ程度となり、検出範囲６Ａは、通路２０の幅方向全体（或いは、ほぼ全体）に及ぶ。
【００４３】
このため、避難者Ｂが部屋１９ｃ（扉５ｃ）の前を通過する際に、避難者Ｂが携帯するＩＣタグ８が、検出範囲６Ａｃに入る。これにより、そのＩＣタグ８のＩＤ情報が、ＩＣタグリーダー６ｃによって自動的に読み取られる。ＩＣタグリーダー６ｃによって読み取られた、避難者Ｂが携帯するＩＣタグ８のＩＤ情報（以下、単に「避難者ＢのＩＤ情報」ともいう）は、ＩＣタグリーダー６ｃのリーダー情報とともに、ローカルコントローラ２を介して、センター装置１に送信される。
【００４４】
その後、避難者Ｂが部屋１９ｂ（扉５ｂ）の前を通過する際に、避難者Ｂが携帯するＩＣタグ８が、検出範囲６Ａｂに入る。これにより、そのＩＣタグ８のＩＤ情報が、ＩＣタグリーダー６ｂによって自動的に読み取られる。ＩＣタグリーダー６ｂによって読み取られた避難者ＢのＩＤ情報は、ＩＣタグリーダー６ｂのリーダー情報とともに、ローカルコントローラ２を介して、センター装置１に送信される。
【００４５】
更にその後、避難者Ｂが部屋１９ａ（扉５ａ）の前を通過する際に、避難者Ｂが携帯するＩＣタグ８が、検出範囲６Ａａに入る。これにより、そのＩＣタグ８のＩＤ情報が、ＩＣタグリーダー６ａによって自動的に読み取られる。ＩＣタグリーダー６ａによって読み取られた避難者ＢのＩＤ情報は、ＩＣタグリーダー６ａのリーダー情報とともに、ローカルコントローラ２を介して、センター装置１に送信される。
【００４６】
センター装置１では、ＩＣタグ８毎（即ち、ＩＤ情報毎）に、ＩＣタグリーダー６によって受信された結果を管理する。避難者ＢのＩＤ情報についても、例えば、下記表１のように、受信日時に関連付けて管理される。
【００４７】
【表１】
2013094023.tif 000003
【００４８】
ＩＣタグリーダー６の各設置位置は、センター装置１に予め登録されている。即ち、ＩＣタグリーダー６間の各距離は、既知である。速度計測手段１６は、複数のＩＣタグリーダー６が同じＩＤ情報を受信すると、それらの受信結果に基づいて、そのＩＤ情報を有するＩＣタグ８の通行速度を計測する。
【００４９】
一例として、上記例において、避難者ＢのＩＤ情報がＩＣタグリーダー６ａによって受信された時の動作について説明する。
避難者ＢのＩＤ情報がＩＣタグリーダー６ａによって受信されると、上述した通り、そのＩＤ情報とＩＣタグリーダー６ａのリーダー情報とが、受信日時の情報とともに、センター装置１に入力される。
【００５０】
センター装置１では、避難者ＢのＩＤ情報がＩＣタグリーダー６ａによって受信されたことを検出すると、それ以前に、同じＩＤ情報が、他のＩＣタグリーダー６によって受信されているか否かを判定する。表１に示すように、避難者ＢのＩＤ情報は、ＩＣタグリーダー６ａによって受信される５秒前に、ＩＣタグリーダー６ｂによって受信されている。また、避難者ＢのＩＤ情報は、ＩＣタグリーダー６ａによって受信される１０秒前に、ＩＣタグリーダー６ｃによって受信されている。
【００５１】
避難者ＢのＩＤ情報が複数のＩＣタグリーダー６によって受信されている場合、速度計測手段１６は、例えば、今回の受信結果と直近の受信結果とに基づいて、避難者Ｂ（即ち、対象となっているＩＤ情報を有するＩＣタグ８）の通行速度を計測する。即ち、速度計測手段１６は、避難者ＢのＩＤ情報がＩＣタグリーダー６ａによって受信されると、ＩＣタグリーダー６ａ及び６ｂがＩＤ情報を受信した時刻と、ＩＣタグリーダー６ａ及び６ｂの距離とに基づいて、避難者Ｂの通行速度を演算する。
【００５２】
なお、ＩＣタグリーダー６の検出範囲６Ａは、比較的広範囲に及ぶ。このため、ＩＣタグリーダー６ａ及び６ｂが近い場所に設置されている場合は、上記通行速度の演算において、誤差が大きくなってしまう。このため、速度計測手段１６は、通行速度を演算するために使用するデータを、ＩＣタグリーダー６の設置間隔等を考慮して選択しても良い。
【００５３】
例えば、ＩＣタグリーダー６ａ及び６ｂの距離が所定値よりも短い場合、速度計測手段１６は、今回の受信結果と２つ前の受信結果とに基づいて、避難者Ｂの通行速度を計測する。かかる場合、速度計測手段１６は、ＩＣタグリーダー６ａ及び６ｃがＩＤ情報を受信した時刻と、ＩＣタグリーダー６ａ及び６ｃの距離とに基づいて、避難者Ｂの通行速度を演算する。
【００５４】
センター装置１では、速度計測手段１６がＩＣタグ８の通行速度を計測すると、次に、避難方向判定手段１８が、そのＩＣタグを携帯している人の通行方向（以下、単に「ＩＣタグ８の通行方向」ともいう）を判定する（Ｓ１０６）。例えば、避難経路判定手段１５が設定した避難経路に沿った方向にＩＣタグ８が移動した場合に、速度計測手段１６によって演算されるＩＣタグ８の通行速度が正の値となるように、その演算方法を予め設定しておく。このように設定しておけば、速度計測手段１６によって計測された通行速度の正負に基づいて、ＩＣタグ８の通行方向を判定することができる。
【００５５】
例えば、図３に示す避難者Ｃは、避難経路判定手段１５が設定した避難経路とは逆の方向に移動している。
避難者Ｃが部屋１９ｂ（扉５ｂ）の前を通過する際に、避難者ＣのＩＤ情報がＩＣタグリーダー６ｂによって読み取られ、センター装置１に送信される。その後、避難者Ｃが携帯するＩＣタグ８が検出範囲６Ａｃに入ることにより、避難者ＣのＩＤ情報がＩＣタグリーダー６ｃに読み取られ、センター装置１に送信される。
【００５６】
かかる場合、速度計測手段１６によって計測される通行速度は、負の値となる。避難方向判定手段１８は、速度計測手段１６によって計測された通行速度が負の値である場合に（Ｓ１０６のＮｏ）、避難者Ｃの通行方向が、避難経路判定手段１５が設定した避難経路に沿った方向（避難方向）に一致しないことを判定する。
【００５７】
避難方向判定手段１８は、Ｓ１０６において方向不一致の判定を行うと、避難者ＣのＩＤ情報を最後に受信したＩＣタグリーダー６（この例では、ＩＣタグリーダー６ｃ）を管理するローカルコントローラ２に、所定の方向不一致情報を送信する。ＩＣタグリーダー６ｃを管理するローカルコントローラ２では、センター装置１（避難方向判定手段１８）から方向不一致情報を受信すると、報知制御手段１３が、ＩＣタグリーダー６ｃに対応する報知装置７ｃ（避難者ＣのＩＤ情報を最後に（即ち、今回）受信したＩＣタグリーダー６の最も近くに設置されている報知装置７）から、通行方向に関する所定の内容を報知させる。例えば、報知制御手段１３は、避難経路と反対の方向に通行していることを、報知装置７ｃからアナウンスさせる（Ｓ１０７）。
【００５８】
一方、図３に示す避難者Ｂは、避難経路判定手段１５が設定した避難経路と同じ方向に移動している。かかる場合、速度計測手段１６によって計測される通行速度は、正の値となる。避難方向判定手段１８は、速度計測手段１６によって計測された通行速度が正の値である場合に（Ｓ１０６のＹｅｓ）、避難者Ｂの通行方向が、避難経路判定手段１５が設定した避難経路に沿った方向（避難方向）に一致していることを判定する。
【００５９】
センター装置１では、避難方向判定手段１８がＳ１０６において方向一致の判定を行うと、次に、速度判定手段１７が、速度計測手段１６によって計測された通行速度が、所定の基準値を超えているか否かを判定する（Ｓ１０８）。
【００６０】
速度計測手段１６によって計測された通行速度が所定の基準値を超えている場合、速度判定手段１７は、避難者ＢのＩＤ情報を最後に受信したＩＣタグリーダー６（この例では、ＩＣタグリーダー６ａ）を管理するローカルコントローラ２に、所定の速度超過情報を送信する。ＩＣタグリーダー６ａを管理するローカルコントローラ２では、センター装置１（速度判定手段１７）から速度超過情報を受信すると、報知制御手段１３が、ＩＣタグリーダー６ａに対応する報知装置７ａ（避難者ＢのＩＤ情報を最後に（即ち、今回）受信したＩＣタグリーダー６の最も近くに配置されている報知装置７）から、通行速度に関する所定の内容を報知させる。例えば、報知制御手段１３は、速度を落として通行するように、報知装置７ａからアナウンスさせる（Ｓ１０９）。
【００６１】
上記構成を有する入退室管理システムであれば、扉５の近傍に設置されたＩＣタグリーダー６を利用して、火災時に、避難している人への案内（例えば、警告や誘導）を適切に行うことができる。
【００６２】
通行許可者として登録されている人（例えば、社員等）は、建物内を自由に移動するため、建物内で自分のＩＣタグ８を常に携帯していることが多い。このため、そのＩＣタグ８を利用すれば、火災時でも、建物内の人に対して適切な案内を行うことができる。
【００６３】
例えば、走って避難している人に対しては、あわてず、速度を落として避難するように警告することができる。避難経路と反対の方向に移動して避難している人に対しては、その方向には通行しないように警告することができる。このような案内を行うことにより、避難している人が逃げ遅れることを防止することができる。また、正しい避難経路が分からずに避難している人に、正しい経路を知らせることができる。
【００６４】
本実施の形態では、１５乃至１８に示す各手段を、センター装置１に備える場合について説明した。しかし、これは単に一例を示したものである。ローカルコントローラ２は、信号線３を介して相互に情報の送受信を行うことができる。このため、１５乃至１８に示す各手段は、所定のローカルコントローラ２（或いは、各ローカルコントローラ２）に備えられていても構わない。
【００６５】
また、本実施の形態では、火災感知装置１４によって火災の発生が検出された場合のみ、１５乃至１８に示す各手段を動作させる場合について説明した。しかし、速度計測手段１６及び速度判定手段１７は、火災感知装置１４によって火災の発生が検出されていない時、即ち、通常制御が行われている時に動作させても良い。かかる場合は、図３のＳ１０４、Ｓ１０５、Ｓ１０８、Ｓ１０９に示す動作を、通常制御が行われている時にも上記順序で実施すれば良い。
【００６６】
かかる構成を採用することにより、通常制御が行われている時に、走って移動している人に対して、速度を落として通行するように警告することができる。
【００６７】
また、本実施の形態では、２台のＩＣタグリーダー６が同じＩＤ情報を受信した場合に、各受信結果に基づいて、ＩＣタグ８の通行速度を計測したり、ＩＣタグ８の通行方向を判定したりする場合について説明した。しかし、これは単に一例を示したものである。ＩＣタグ８の通行速度を計測したり、ＩＣタグ８の通行方向を判定したりするために、３台以上のＩＣタグリーダー６の受信結果を利用しても良い。また、可能であれば、１台のＩＣタグリーダー６の受信結果に基づいて、ＩＣタグ８の通行速度を計測したり、ＩＣタグ８の通行方向を判定したりしても良い。
【産業上の利用可能性】
【００６８】
この発明に係る入退室管理システムは、ＩＣタグを用いて通行の管理を行うシステムに適用することができる。
【符号の説明】
【００６９】
１  センター装置
２  ローカルコントローラ
３  信号線
４、４ａ、４ｂ、４ｃ  錠装置
５、５ａ、５ｂ、５ｃ  扉
６、６ａ、６ｂ、６ｃ  ＩＣタグリーダー
６Ａ、６Ａａ、６Ａｂ、６Ａｃ  検出範囲
７、７ａ、７ｂ、７ｃ  報知装置
８  ＩＣタグ
９  情報制御手段
１０  記憶手段
１１  認証手段
１２  錠制御手段
１３  報知制御手段
１４  火災感知装置
１５  避難経路判定手段
１６  速度計測手段
１７  速度判定手段
１８  避難方向判定手段
１９、１９ａ、１９ｂ、１９ｃ  部屋
２０  通路
【図１】
2013094023.tif 000004
【図２】
2013094023.tif 000005
【図３】
2013094023.tif 000006
【手続補正書】
【提出日】平成25年12月9日(2013.12.9)
【手続補正１】
【補正対象書類名】特許請求の範囲
【補正対象項目名】全文
【補正方法】変更
【補正の内容】
【特許請求の範囲】
【請求項１】
通行を規制する扉の近傍に設けられ、所定の検出範囲に存在するＩＣタグからＩＤ情報を受信する受信装置と、
前記受信装置が受信したＩＤ情報が、既登録のＩＤ情報と一致する場合に、前記扉の錠装置を解錠する錠制御手段と、
前記扉の近傍に設けられた報知装置と、
前記受信装置が受信したＩＤ情報に基づいて、そのＩＤ情報を有するＩＣタグの通行速度を計測する速度計測手段と、
前記速度計測手段によって計測された通行速度が所定の基準値を超える場合に、前記報知装置から、通行速度に関する所定の内容を報知させる報知制御手段と、
所定の災害の発生を検出する災害検出装置と、
前記災害検出装置によって災害の発生が検出されると、前記受信装置が受信したＩＤ情報に基づいて、そのＩＤ情報を有するＩＣタグの通行方向を判定する通行方向判定手段と、
を備え、
前記報知制御手段は、前記通行方向判定手段によって判定された通行方向が、所定の避難方向に一致しない場合に、前記報知装置から、通行方向に関する所定の内容を報知させる入退室管理システム。
【請求項２】
所定の災害の発生を検出する災害検出装置と、
通行を規制する扉の近傍に設けられ、所定の検出範囲に存在するＩＣタグからＩＤ情報を受信する受信装置と、
通常時は、前記受信装置が受信したＩＤ情報が既登録のＩＤ情報と一致する場合に、前記扉の錠装置を解錠する通常制御を行い、前記災害検出装置によって災害の発生が検出されると、前記扉の錠装置に対して所定の避難制御を行う錠制御手段と、
前記扉の近傍に設けられた報知装置と、
前記災害検出装置によって災害の発生が検出されると、前記受信装置が受信したＩＤ情報に基づいて、そのＩＤ情報を有するＩＣタグの通行速度を計測する速度計測手段と、
前記速度計測手段によって計測された通行速度が所定の基準値を超える場合に、前記報知装置から、通行速度に関する所定の内容を報知させる報知制御手段と、
を備えた入退室管理システム。
【請求項３】
前記災害検出装置によって災害の発生が検出されると、前記受信装置が受信したＩＤ情報に基づいて、そのＩＤ情報を有するＩＣタグの通行方向を判定する通行方向判定手段と、
を備え、
前記報知制御手段は、前記通行方向判定手段によって判定された通行方向が、所定の避難方向に一致しない場合に、前記報知装置から、通行方向に関する所定の内容を報知させる請求項２に記載の入退室管理システム。
【請求項４】
通行を規制する第１扉の近傍に設けられ、所定の検出範囲に存在するＩＣタグからＩＤ情報を受信する第１受信装置と、
前記第１受信装置が受信したＩＤ情報が、既登録のＩＤ情報と一致する場合に、前記第１扉の錠装置を解錠する第１錠制御手段と、
前記第１扉の近傍に設けられた第１報知装置と、
通行を規制する第２扉の近傍に設けられ、所定の検出範囲に存在するＩＣタグからＩＤ情報を受信する第２受信装置と、
前記第２受信装置が受信したＩＤ情報が、既登録のＩＤ情報と一致する場合に、前記第２扉の錠装置を解錠する第２錠制御手段と、
前記第２扉の近傍に設けられた第２報知装置と、
前記第１受信装置及び前記第２受信装置が同じＩＤ情報を受信した場合に、前記第１受信装置及び前記第２受信装置の各受信結果に基づいて、そのＩＤ情報を有するＩＣタグの通行速度を計測する速度計測手段と、
前記速度計測手段によって計測された通行速度が所定の基準値を超える場合に、前記第１報知装置及び前記第２報知装置のうち、そのＩＤ情報を後に受信した受信装置に近い報知装置から、通行速度に関する所定の内容を報知させる報知制御手段と、
を備えた入退室管理システム。
【請求項５】
所定の災害の発生を検出する災害検出装置と、
前記災害検出装置によって災害の発生が検出された場合に、前記第１受信装置及び前記第２受信装置が同じＩＤ情報を受信すると、前記第１受信装置及び前記第２受信装置の各受信結果に基づいて、そのＩＤ情報を有するＩＣタグの通行方向を判定する通行方向判定手段と、
を備え、
前記報知制御手段は、前記通行方向判定手段によって判定された通行方向が、所定の避難方向に一致しない場合に、前記第１報知装置及び前記第２報知装置のうち、そのＩＤ情報を後に受信した受信装置に近い報知装置から、通行方向に関する所定の内容を報知させる請求項４に記載の入退室管理システム。
【請求項６】
所定の災害の発生を検出する災害検出装置と、
通行を規制する第１扉の近傍に設けられ、所定の検出範囲に存在するＩＣタグからＩＤ情報を受信する第１受信装置と、
通常時は、前記第１受信装置が受信したＩＤ情報が既登録のＩＤ情報と一致する場合に、前記第１扉の錠装置を解錠する通常制御を行い、前記災害検出装置によって災害の発生が検出されると、前記第１扉の錠装置に対して所定の避難制御を行う第１錠制御手段と、
前記第１扉の近傍に設けられた第１報知装置と、
通行を規制する第２扉の近傍に設けられ、所定の検出範囲に存在するＩＣタグからＩＤ情報を受信する第２受信装置と、
通常時は、前記第２受信装置が受信したＩＤ情報が既登録のＩＤ情報と一致する場合に、前記第２扉の錠装置を解錠する通常制御を行い、前記災害検出装置によって災害の発生が検出されると、前記第２扉の錠装置に対して所定の避難制御を行う第２錠制御手段と、
前記第２扉の近傍に設けられた第２報知装置と、
前記災害検出装置によって災害の発生が検出された場合に、前記第１受信装置及び前記第２受信装置が同じＩＤ情報を受信すると、前記第１受信装置及び前記第２受信装置の各受信結果に基づいて、そのＩＤ情報を有するＩＣタグの通行速度を計測する速度計測手段と、
前記速度計測手段によって計測された通行速度が所定の基準値を超える場合に、前記第１報知装置及び前記第２報知装置のうち、そのＩＤ情報を後に受信した受信装置に近い報知装置から、通行速度に関する所定の内容を報知させる報知制御手段と、
を備えた入退室管理システム。
【請求項７】
前記災害検出装置によって災害の発生が検出された場合に、前記第１受信装置及び前記第２受信装置が同じＩＤ情報を受信すると、前記第１受信装置及び前記第２受信装置の各受信結果に基づいて、そのＩＤ情報を有するＩＣタグの通行方向を判定する通行方向判定手段と、
を備え、
前記報知制御手段は、前記通行方向判定手段によって判定された通行方向が、所定の避難方向に一致しない場合に、前記第１報知装置及び前記第２報知装置のうち、そのＩＤ情報を後に受信した受信装置に近い報知装置から、通行方向に関する所定の内容を報知させる請求項６に記載の入退室管理システム。
【手続補正２】
【補正対象書類名】明細書
【補正対象項目名】０００７
【補正方法】変更
【補正の内容】
【０００７】
この発明に係る入退室管理システムは、通行を規制する扉の近傍に設けられ、所定の検出範囲に存在するＩＣタグからＩＤ情報を受信する受信装置と、受信装置が受信したＩＤ情報が、既登録のＩＤ情報と一致する場合に、扉の錠装置を解錠する錠制御手段と、扉の近傍に設けられた報知装置と、受信装置が受信したＩＤ情報に基づいて、そのＩＤ情報を有するＩＣタグの通行速度を計測する速度計測手段と、速度計測手段によって計測された通行速度が所定の基準値を超える場合に、報知装置から、通行速度に関する所定の内容を報知させる報知制御手段と、所定の災害の発生を検出する災害検出装置と、災害検出装置によって災害の発生が検出されると、受信装置が受信したＩＤ情報に基づいて、そのＩＤ情報を有するＩＣタグの通行方向を判定する通行方向判定手段と、を備え、報知制御手段は、通行方向判定手段によって判定された通行方向が、所定の避難方向に一致しない場合に、報知装置から、通行方向に関する所定の内容を報知させるものである。
【手続補正書】
【提出日】平成26年12月19日(2014.12.19)
【手続補正１】
【補正対象書類名】特許請求の範囲
【補正対象項目名】全文
【補正方法】変更
【補正の内容】
【特許請求の範囲】
【請求項１】
第１扉の近傍に設けられ、所定の検出範囲に存在するＩＣタグからＩＤ情報を受信する第１受信装置と、
前記第１受信装置が受信したＩＤ情報が、既登録のＩＤ情報と一致する場合に、前記第１扉の錠装置を解錠する第１錠制御手段と、
前記第１扉の近傍に設けられた第１報知装置と、
第２扉の近傍に設けられ、所定の検出範囲に存在するＩＣタグからＩＤ情報を受信する第２受信装置と、
前記第２受信装置が受信したＩＤ情報が、既登録のＩＤ情報と一致する場合に、前記第２扉の錠装置を解錠する第２錠制御手段と、
前記第２扉の近傍に設けられた第２報知装置と、
前記第１受信装置及び前記第２受信装置が同じＩＤ情報を受信した場合に、前記第１受信装置及び前記第２受信装置の各受信結果に基づいて、そのＩＤ情報を有するＩＣタグの通行速度を計測する速度計測手段と、
前記速度計測手段によって計測された通行速度が所定の基準値を超える場合に、前記第１報知装置及び前記第２報知装置のうち、そのＩＤ情報を後に受信した受信装置に近い報知装置から、通行速度に関する所定の内容を報知させる報知制御手段と、
を備えた入退室管理システム。
【請求項２】
所定の災害の発生を検出する災害検出装置と、
前記災害検出装置によって災害の発生が検出された場合に、前記第１受信装置及び前記第２受信装置が同じＩＤ情報を受信すると、前記第１受信装置及び前記第２受信装置の各受信結果に基づいて、そのＩＤ情報を有するＩＣタグの通行方向を判定する通行方向判定手段と、
を備え、
前記報知制御手段は、前記通行方向判定手段によって判定された通行方向が、所定の避難方向に一致しない場合に、前記第１報知装置及び前記第２報知装置のうち、そのＩＤ情報を後に受信した受信装置に近い報知装置から、通行方向に関する所定の内容を報知させる請求項１に記載の入退室管理システム。
【請求項３】
所定の災害の発生を検出する災害検出装置と、
第１扉の近傍に設けられ、所定の検出範囲に存在するＩＣタグからＩＤ情報を受信する第１受信装置と、
通常時は、前記第１受信装置が受信したＩＤ情報が既登録のＩＤ情報と一致する場合に、前記第１扉の錠装置を解錠する通常制御を行い、前記災害検出装置によって災害の発生が検出されると、前記第１扉の錠装置に対して所定の避難制御を行う第１錠制御手段と、
前記第１扉の近傍に設けられた第１報知装置と、
第２扉の近傍に設けられ、所定の検出範囲に存在するＩＣタグからＩＤ情報を受信する第２受信装置と、
通常時は、前記第２受信装置が受信したＩＤ情報が既登録のＩＤ情報と一致する場合に、前記第２扉の錠装置を解錠する通常制御を行い、前記災害検出装置によって災害の発生が検出されると、前記第２扉の錠装置に対して所定の避難制御を行う第２錠制御手段と、
前記第２扉の近傍に設けられた第２報知装置と、
前記災害検出装置によって災害の発生が検出された場合に、前記第１受信装置及び前記第２受信装置が同じＩＤ情報を受信すると、前記第１受信装置及び前記第２受信装置の各受信結果に基づいて、そのＩＤ情報を有するＩＣタグの通行速度を計測する速度計測手段と、
前記速度計測手段によって計測された通行速度が所定の基準値を超える場合に、前記第１報知装置及び前記第２報知装置のうち、そのＩＤ情報を後に受信した受信装置に近い報知装置から、通行速度に関する所定の内容を報知させる報知制御手段と、
を備えた入退室管理システム。
【請求項４】
前記災害検出装置によって災害の発生が検出された場合に、前記第１受信装置及び前記第２受信装置が同じＩＤ情報を受信すると、前記第１受信装置及び前記第２受信装置の各受信結果に基づいて、そのＩＤ情報を有するＩＣタグの通行方向を判定する通行方向判定手段と、
を備え、
前記報知制御手段は、前記通行方向判定手段によって判定された通行方向が、所定の避難方向に一致しない場合に、前記第１報知装置及び前記第２報知装置のうち、そのＩＤ情報を後に受信した受信装置に近い報知装置から、通行方向に関する所定の内容を報知させる請求項３に記載の入退室管理システム。
【手続補正２】
【補正対象書類名】明細書
【補正対象項目名】０００７
【補正方法】削除
【補正の内容】
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
また、この発明に係る入退室管理システムは、第１扉の近傍に設けられ、所定の検出範囲に存在するＩＣタグからＩＤ情報を受信する第１受信装置と、第１受信装置が受信したＩＤ情報が、既登録のＩＤ情報と一致する場合に、第１扉の錠装置を解錠する第１錠制御手段と、第１扉の近傍に設けられた第１報知装置と、第２扉の近傍に設けられ、所定の検出範囲に存在するＩＣタグからＩＤ情報を受信する第２受信装置と、第２受信装置が受信したＩＤ情報が、既登録のＩＤ情報と一致する場合に、第２扉の錠装置を解錠する第２錠制御手段と、第２扉の近傍に設けられた第２報知装置と、第１受信装置及び第２受信装置が同じＩＤ情報を受信した場合に、第１受信装置及び第２受信装置の各受信結果に基づいて、そのＩＤ情報を有するＩＣタグの通行速度を計測する速度計測手段と、速度計測手段によって計測された通行速度が所定の基準値を超える場合に、第１報知装置及び第２報知装置のうち、そのＩＤ情報を後に受信した受信装置に近い報知装置から、通行速度に関する所定の内容を報知させる報知制御手段と、を備えたものである。
【手続補正５】
【補正対象書類名】明細書
【補正対象項目名】００１０
【補正方法】変更
【補正の内容】
【００１０】
また、この発明に係る入退室管理システムは、所定の災害の発生を検出する災害検出装置と、第１扉の近傍に設けられ、所定の検出範囲に存在するＩＣタグからＩＤ情報を受信する第１受信装置と、通常時は、第１受信装置が受信したＩＤ情報が既登録のＩＤ情報と一致する場合に、第１扉の錠装置を解錠する通常制御を行い、災害検出装置によって災害の発生が検出されると、第１扉の錠装置に対して所定の避難制御を行う第１錠制御手段と、第１扉の近傍に設けられた第１報知装置と、第２扉の近傍に設けられ、所定の検出範囲に存在するＩＣタグからＩＤ情報を受信する第２受信装置と、通常時は、第２受信装置が受信したＩＤ情報が既登録のＩＤ情報と一致する場合に、第２扉の錠装置を解錠する通常制御を行い、災害検出装置によって災害の発生が検出されると、第２扉の錠装置に対して所定の避難制御を行う第２錠制御手段と、第２扉の近傍に設けられた第２報知装置と、災害検出装置によって災害の発生が検出された場合に、第１受信装置及び第２受信装置が同じＩＤ情報を受信すると、第１受信装置及び第２受信装置の各受信結果に基づいて、そのＩＤ情報を有するＩＣタグの通行速度を計測する速度計測手段と、速度計測手段によって計測された通行速度が所定の基準値を超える場合に、第１報知装置及び第２報知装置のうち、そのＩＤ情報を後に受信した受信装置に近い報知装置から、通行速度に関する所定の内容を報知させる報知制御手段と、を備えたものである。
【国際調査報告】
2013094023.tif 000007
2013094023.tif 000008
2013094023.tif 000009